【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
同軸導線を電気的な装置又は第二同軸導線と相互連結するための同軸コネクタにおいて、前記同軸コネクタは、
ハウジングであって、係合端部と、取付端部と、前記ハウジングを通して前記係合端部から前記取付端部へ延びている通路とを具備するハウジングと、
絶縁体部材であって、前記絶縁体部材を貫通しているボアを有し、かつ前記絶縁体部材ボアが前記係合端部から前記ハウジングの前記取付端部へ延びるように前記絶縁体部材が前記ハウジング内に配置されている、絶縁体部材と、
前記絶縁体部材ボア内に配置されており、かつ前記同軸導線を受け入れるための係合端部を有する接触部材であって、前記接触部材は、ほぼ筒状の外面と、複数の弾性ばね部とを有し、前記複数の弾性ばね部は、前記筒状の外面から内側に延びておりかつ前記接触部材の外面の周方向周りに互いに離間しており、前記弾性ばね部が前記同軸導線を受け入れて外側にたわんだ時に前記弾性ばね部が接触力を発生させる、接触部材と、
前記同軸導線と係合して前記同軸導線と前記接触部材との間で電気的な接触を生じさせかつ前記複数の弾性ばね部の中の一つによって付与される前記接触力を集中させるために、前記一つの弾性ばね部上に配置されている隆起したこぶ部とを具備する同軸コネクタ。
【請求項２】
前記ハウジングの前記取付端部が、複数の着地する足部を有する請求項１に記載の同軸コネクタ。
【請求項３】
前記ハウジングが直角形状を有する請求項１に記載の同軸コネクタ。
【請求項４】
前記ハウジングが、貫通しているほぼ直線状の通路を有する前ハウジングと、貫通している直角な通路を有する基ハウジングとを具備する請求項３に記載の同軸コネクタ。
【請求項５】
前記絶縁体部材は、前記前ハウジング内に配置されている前絶縁体部材と、前記基ハウジング内に配置されている基絶縁体部材とを有する請求項４に記載の同軸コネクタ。
【請求項６】
前記ハウジングの前記取付端部が、回路板と接続するように構成されている請求項１に記載の同軸コネクタ。
【請求項７】
前記ハウジングの前記取付端部が、回路板の縁部と接続するように構成されている請求項６に記載の同軸コネクタ。
【請求項８】
前記ハウジングの前記取付端部が、回路板の前記縁部と係合するのに適したスロット部を有する請求項７に記載の同軸コネクタ。
【請求項９】
前記ハウジングの前記取付端部が、第二同軸導線と係合するように構成されている請求項１に記載の同軸コネクタ。
【請求項１０】
前記接触部材が、接触尾部材を受け入れるための終端部を有する請求項１に記載の同軸コネクタ。
【請求項１１】
前記終端部で終端されており、かつ前記絶縁体部材のボアを通って前記ハウジングの前記取付端部へ延びている接触尾部材をさらに有する請求項１０に記載の同軸コネクタ。
【請求項１２】
隆起したこぶ部が、前記同軸導線と係合して前記同軸導線と前記接触部材との間で電気的な接続を生じさせかつ弾性ばね部によって付与される前記接触力を集中させるために各前記弾性ばね部上に配置されている請求項１に記載の同軸コネクタ。
【請求項１３】
前記隆起したこぶ部が、前記接触部材と前記同軸導線との間に気密接続を提供する請求項１２に記載の同軸コネクタ。
【請求項１４】
一対の隆起したこぶ部が、前記同軸導線と係合して前記同軸導線と前記接触部材との間で電気的な接続を生じさせかつ弾性ばね部によって付与される前記接触力を集中させるために、各前記弾性ばね部上に配置されている請求項１に記載の同軸コネクタ。
【請求項１５】
前記一対の隆起したこぶ部は、前記一対の隆起したこぶ部が前記同軸導線と係合する時に前記同軸導線が前記弾性ばね部の面と接触しないように構成されている請求項１４に記載の同軸コネクタ。
【請求項１６】
前記ハウジングと前記絶縁体部材と前記接触部材は、前記同軸コネクタが前記同軸導線の特性インピーダンスと実質的に整合するように構成されている請求項１に記載の同軸コネクタ。
【請求項１７】
前記ハウジングの通路は筒状形状を有し、前記絶縁体は中空の筒状形状を有する請求項１６に記載の同軸コネクタ。
【請求項１８】
前記隆起したこぶ部が金めっきされている請求項１に記載の同軸コネクタ。
【請求項１９】
前記接触部材が型押しされかつ板材料で形成されている請求項１に記載の同軸コネクタ。
【請求項２０】
前記絶縁体部材がポリペンテンメチル材料で構成されている請求項１に記載の同軸コネクタ。
【請求項２１】
同軸導線を電気的な装置又は第二同軸導線へ相互連結させるための同軸コネクタにおいて、前記同軸コネクタは、
ハウジングであって、係合端部と、取付端部と、前記ハウジングを通して前記係合端部から前記取付端部へ延びている通路を有するハウジングと、
絶縁体部材であって、前記絶縁体部材を貫通しているボアを有し、かつ前記絶縁体部材ボアが前記係合端部から前記ハウジングの終端部へ延びるように、前記絶縁体部材が前記ハウジング内に配置されている、絶縁体部材と、
前記絶縁体の中央ボア内に配置されておりかつ前記同軸導線を受け入れるために係合端部を具備する接触部材であって、前記接触部材は、ほぼ筒状の外面と、前記ほぼ筒状の外面から内側に延びておりかつ前記係合面へ延びている複数の弾性ばね部とを具備し、前記複数の弾性ばね部は、前記接触部材の前記ほぼ筒状の外面の周方向周りに互いに離間している接触部材とを具備し、
前記複数の弾性ばね部の各々は、接触面を区画形成している先端部を通りかつ前記係合端部へ延びている弓形部と、前記係合端部に配置されている曲げ戻り部であって、外側に曲げられてかつ前記曲げ戻り部自身に逆行して曲げられている曲げ戻り部とを有する二重ベローズ形ばねとして構成されている、同軸コネクタ。
【請求項２２】
前記複数の弾性ばね部が、異なる直径の同軸導線と係合するために、応力弛緩なくたわむことができるように構成されている請求項２１に記載の同軸コネクタ。
【請求項２３】
前記同軸導線と係合して前記同軸導線と前記接触部材との間で電気的な接続を生じさせるように、前記複数の弾性ばね部の中の一つの弾性ばね部の前記先端部に配置されている隆起したこぶ部を有する請求項２１に記載の同軸コネクタ。
【請求項２４】
隆起したこぶ部が、前記同軸導線と係合して前記同軸導線と前記接触部材との間で電気的な接触を生じさせかつ前記弾性ばね部によって付与される前記接触力を集中させるために各前記弾性ばね部に配置されている請求項２３に記載の同軸コネクタ。
【請求項２５】
一対の隆起したこぶ部が、前記同軸導線と係合して前記同軸導線と前記接触部材との間で電気的な接続を生じさせかつ前記弾性ばね部によって付与される前記接触力を集中させるために、各前記弾性ばね部上に配置されている請求項２３に記載の同軸コネクタ。
【請求項２６】
前記隆起したこぶ部が、前記隆起したこぶ部が前記同軸導線と係合する時に前記同軸導線が前記弾性ばね部の前記先端部と接触しないように構成されている請求項２５に記載の同軸コネクタ。
【請求項２７】
前記ハウジングの前記取付端部が複数の着地する足部を有する請求項２１に記載の同軸コネクタ。
【請求項２８】
前記ハウジングが直角形状を有する請求項２１に記載の同軸コネクタ。
【請求項２９】
前記ハウジングの前記取付端部が、回路板の縁部と係合するのに適したスロット部を有する請求項２１に記載の同軸コネクタ。
【請求項３０】
前記接触部材が、終端部を有しかつ前記終端部において終端されかつ前記絶縁体部材のボアを通り前記ハウジングの前記取付端部へ延びている接触尾部材を有する請求項２１に記載の同軸コネクタ。
【請求項３１】
前記ハウジングと前記絶縁体部材と前記接触部材が、前記同軸コネクタが前記同軸導線の特性インピーダンスと実質的に整合するように構成されている請求項２１に記載の同軸コネクタ。
【請求項３２】
同軸コネクタと係合するための接触部材において、前記接触部材は、
前記同軸導線を受け入れるための係合端部と、終端部とを有するほぼ筒状の外面と、
前記筒状の外面から内側に延びかつ前記接触部材の前記係合端部に向かって延びている複数の弾性ばね部材とを具備し、
前記複数の弾性ばね部材は、前記ほぼ筒状の外面の周方向回りに互いに離間しており、各前記ばね部材は、前記接触面で接触力を発生させるように前記同軸導線を受け入れて外側にたわむことができる二重ベローズ形ばねとして構成されている、接触部材。
【請求項３３】
前記複数の弾性ばね部材が、異なる直径の同軸導線と係合するために、応力弛緩なくたわむことができるように構成されている請求項３２に記載の接触部材。
【請求項３４】
それぞれの前記複数の弾性ばね部材の中の一つの弾性ばね部材の前記接触面において、前記同軸導線と係合して前記同軸導線と電気的な接触を生じさせる隆起したこぶ部をさらに有する請求項３２に記載の接触部材。
【請求項３５】
隆起したこぶ部が、前記同軸導線と係合して前記同軸導線と前記接触部材との間で電気的な接続を生じさせかつ前記弾性ばね部材によって付与される前記接触力を集中させるために、各前記弾性ばね部材上に配置されている請求項３４に記載の接触部材。
【請求項３６】
一対の隆起したこぶ部が、前記同軸導線と係合して前記同軸導線と前記接触部材との間で電気的な接続を生じさせかつ弾性ばね部材によって付与される前記接触力を集中させるために、各前記弾性ばね部材上に配置されている請求項３４に記載の接触部材。
【請求項３７】
前記一対の隆起したこぶ部は、前記一対の隆起したこぶ部が前記同軸導線と係合する時に前記同軸導線が前記弾性ばね部材の前記接触面と接触しないように構成されている請求項３６に記載の接触部材。
【請求項３８】
前記接触部材が型押しされかつ板材料で形成されている請求項３２に記載の接触部材。
【請求項３９】
同軸コネクタと係合するための接触部材において、前記接触部材は、
前記同軸導線を受け入れるための係合端部と、終端部とを区画形成しているほぼ筒状の外面と、
複数の弾性ばね部材であって、前記複数の弾性ばね部材は、前記ほぼ筒状の外面から内側に延びかつ前記ほぼ筒状の外面の周方向周りに互いに離間しており、かつ前記弾性ばね部材が前記同軸導線を受け入れて外側にたわむ時に接触力を発生させる、弾性ばね部材と、
前記同軸導線と係合して前記同軸導線と前記接触部材との間で電気的な接触を生じさせかつ前記複数の弾性ばね部材の中の一つによって付与される前記接触力を集中させるために、前記一つの弾性ばね部材上に配置されているこぶ部とを具備する接触部材。
【請求項４０】
隆起したこぶ部が、前記同軸導線と係合して前記同軸導線と前記接触部材との間で電気的な接続を生じさせかつ前記弾性ばね部材によって付与される前記接触力を集中させるために、各前記弾性ばね部材上に配置されている請求項３９に記載の接触部材。
【請求項４１】
前記こぶ部が前記接触部材と前記同軸導線との間に気密接続を提供する請求項４０に記載の接触部材。
【請求項４２】
一対の隆起したこぶ部が、前記同軸導線と係合して前記同軸導線と前記接触部材との間で電気的な接続を生じさせかつ弾性ばね部材によって付与される前記接触力を集中させるために、各前記弾性ばね部材上に配置されている請求項３９に記載の接触部材。
【請求項４３】
前記一対の隆起したこぶ部は、前記一対の隆起したこぶ部が前記同軸導線と係合する時に前記同軸導線が前記弾性ばね部材の前記接触面と接触しないように構成されている請求項４２に記載の接触部材。
【請求項４４】
前記隆起したこぶ部が金めっきされている請求項３９に記載の接触部材。